【手続補正書】
【提出日】平成22年9月9日(2010.9.9)
【手続補正１】
【補正対象書類名】特許請求の範囲
【補正対象項目名】全文
【補正方法】変更
【補正の内容】
【特許請求の範囲】
【請求項１】
方形の画像である第１の画像と第２の画像とを取得する画像取得手段と、
前記第１の画像を、前記第２の画像内における非方形の四角領域の形状に合わせて変形させるとともに、この変形後の画像を、前記第２の画像内における非方形の四角領域内に嵌め込み合成して第３の画像を生成する合成手段と、
を備えることを特徴とする撮像装置。
【請求項２】
被写体を撮像して方形の撮影画像を取得する撮像手段と、
前記撮像手段により取得した画像を表示する表示手段とを更に備え、
前記画像取得手段は、前記撮像手段により撮像して得られる撮影画像を前記第１の画像または前記第２の画像として取得し、
前記表示手段は、前記合成手段により生成された前記第３の画像を表示することを特徴とする請求項１記載の撮像装置。
【請求項３】
前記表示手段は、前記撮像手段により取得した画像の表示に代えて、前記合成手段により合成された前記第３の画像を表示することを特徴とする請求項２記載の撮像装置。
【請求項４】
前記撮像手段により取得した画像を保存する保存手段を更に備え、
前記保存手段は、前記合成手段により生成された前記第３の画像を保存することを特徴とする請求項３記載の撮像装置。
【請求項５】
前記表示手段は、前記撮像手段により取得した画像の保存に代えて、前記合成手段により合成された前記第３の画像を保存することを特徴とする請求項４記載の撮像装置。
【請求項６】
前記画像取得手段は、前記撮像手段により撮像して得られる撮影画像を前記第１の画像として取得することを特徴とする請求項５記載の撮像装置。
【請求項７】
前記画像取得手段は、前記撮像手段により逐次撮像して得られる撮影画像を前記第１の画像として逐次取得し、
前記合成手段は、前記画像取得手段により逐次取得される前記第１の画像を、前記第２の画像内における非方形の四角領域の形状に合わせて逐次変形させるとともに、この変形後の画像を、前記第２の画像内における非方形の四角領域内に嵌め込み合成して第３の画像を逐次生成し、
前記表示手段は、前記合成手段により逐次生成される前記第３の画像をスルー画像として逐次表示することを特徴とする請求項６記載の撮像装置。
【請求項８】
前記画像取得手段は、前記撮像手段により撮像して得られる撮影画像を前記第２の画像として取得することを特徴とする請求項５記載の撮像装置。
【請求項９】
前記画像取得手段は、前記撮像手段により逐次撮像して得られる撮影画像を前記第２の画像として逐次取得し、
前記合成手段は、前記第１の画像を、前記画像取得手段により逐次取得される前記第２の画像内における非方形の四角領域の形状に合わせて逐次変形させるとともに、この変形後の画像を、前記第２の画像内における非方形の四角領域内に嵌め込み合成して第３の画像を逐次生成し、
前記表示手段は、前記合成手段により逐次生成される前記第３の画像をスルー画像として逐次表示することを特徴とする請求項８記載の撮像装置。
【請求項１０】
前記合成手段は、前記第１の画像の形状と前記第２の画像の形状とで決まるアフィンパラメータに従ってアフィン変換を行うことを特徴とする請求項１乃至９のいずれかに記載の撮像装置。
【請求項１１】
被写体を撮像して撮影画像を取得する撮像手段と、
前記撮影画像を第１の画像として取得する第１の画像取得手段と、
第２の画像を取得する第２の画像取得手段と、
前記第１の画像平面上の方形である第１の四角領域を取得する第１の領域取得手段と、
前記第２の画像平面上の第２の四角領域を取得する第２の領域取得手段と、
前記第１の四角領域内の第１の画像を、前記第２の四角領域の形状に基づきあてはまるように形状変換して変換画像を取得する変換手段と、
前記第２の画像中の第２の四角領域内の画像と、前記変換画像を合成する合成手段と、
を備えることを特徴とする撮像装置。
【請求項１２】
被写体を撮像して撮影画像を取得する撮像手段と、
前記撮影画像を第１の画像として取得する第１の画像取得手段と、
第２の画像を取得する第２の画像取得手段と、
前記第１の画像平面上の方形である第１の四角領域を取得する第１の領域取得手段と、
前記第２の画像平面上の第２の四角領域を取得する第２の領域取得手段と、
前記第２の四角領域内の第２の画像を、前記第１の四角領域の形状に基づきあてはまるように形状変換して変換画像を取得する変換手段と、
前記第１の画像中の第１の四角領域内の画像と、前記変換画像を合成する合成手段と、
を備えることを特徴とする撮像装置。
【請求項１３】
前記第１の四角領域内の第１の画像は、前記第１の画像全体であることを特徴とする請求項１１記載の撮像装置。
【請求項１４】
前記第２の四角領域内の第２の画像は、前記第２の画像全体であることを特徴とする請求項１２記載の撮像装置。
【請求項１５】
前記第２の画像は、前記撮像手段による撮影画像であることを特徴とする請求項１１又は１２記載の撮像装置。
【請求項１６】
合成用画像を記憶する記憶手段を備え、
前記第２の画像は、前記合成用画像であることを特徴とする請求項１１又は１２記載の撮像装置。
【請求項１７】
前記第１の画像は、前記撮像手段から出力されるスルー画像であることを特徴とする請求項１１又は１２記載の撮像装置。
【請求項１８】
前記第１の画像は、前記撮像手段による撮影済み画像であることを特徴とする請求項１１又は１２記載の撮像装置。
【請求項１９】
前記第１の領域取得手段は、前記第１の画像平面上に方形である領域が複数存在する場合に、その内の一つをユーザ操作に応答して選択することを特徴とする請求項１１又は１２記載の撮像装置。
【請求項２０】
前記第２の領域取得手段は、前記第２の画像平面上に方形である領域が複数存在する場合に、その内の一つをユーザ操作に応答して選択することを特徴とする請求項１１又は１２記載の撮像装置。
【請求項２１】
前記合成手段は、前記第２の画像中の第２の四角領域に、前記変換画像を合成する際に、前記変換画像が入りきらない形状の場合は、当該変換画像の中心を基準にして切り出した後、その切り出し画像を前記第２の画像中の第２の四角領域に合成することを特徴とする請求項１１記載の撮像装置。
【請求項２２】
前記合成手段は、前記第２の画像中の第２の四角領域に、前記変換画像を合成する際に、前記変換画像が入りきらない形状の場合は、当該変換画像の縦又は横寸法を縮小し、その縮小画像を前記第２の画像中の第２の四角領域に合成することを特徴とする請求項１１記載の撮像装置。
【請求項２３】
前記第１の領域取得手段が取得する第１の四角領域は矩形の領域であり、
前記変換手段は、矩形の領域である前記第１の四角領域内の第１の画像を、前記第２の四角領域の形状に基づき形状変換して変換画像を取得することを特徴とする請求項１１に記載の撮像装置。
【請求項２４】
前記変換手段は、この変換手段で生成している前記変換画像を台形補正した場合に得られる画像が、前記第１の画像の一部分を切り出した画像のうちの一つと相似の関係にあるように画像の変換を行うことを特徴とする請求項２３に記載の撮像装置。
【請求項２５】
前記第２の領域取得手段が取得する第２の四角領域は矩形の領域であり、
前記変換手段は、矩形の領域である前記第２の四角領域内の第２の画像を、前記第１の四角領域の形状に基づき形状変換して変換画像を取得することを特徴とする請求項１２に記載の撮像装置。
【請求項２６】
前記変換手段は、この変換手段で生成している前記変換画像を台形補正した場合に得られる画像が、前記第２の画像の一部分を切り出した画像のうちの一つと相似の関係にあるように画像の変換を行うことを特徴とする請求項２５に記載の撮像装置。
【請求項２７】
第３の画像平面上の方形である第３の四角領域を取得する第３の領域取得手段と、
第３の画像平面上であって前記第３の四角領域を含み、形状がこの第３の四角領域と相似である第４の四角領域を取得する第４の領域取得手段と、
前記第４の領域取得手段で取得した前記第４の領域内の前記第３の画像を台形補正した第４の画像を取得する第３の画像取得手段と、を備え、
前記第１の画像をこの第４の画像として、前記第１の領域を前記第４の画像内であって前記台形補正後の前記第３の領域とすることを特徴とする請求項１１記載の撮像装置。
【請求項２８】
第３の画像平面上の方形である第３の四角領域を取得する第３の領域取得手段と、
第３の画像平面上であって前記第３の四角領域を含み、形状がこの第３の四角領域と相似である第４の四角領域を取得する第４の領域取得手段と、
前記第４の領域取得手段で取得した前記第４の領域内の前記第３の画像を台形補正した第４の画像を取得する第３の画像取得手段と、を備え、
前記第２の画像をこの第４の画像として、前記第２の領域を前記第４の画像内であって前記台形補正後の前記第３の領域とすることを特徴とする請求項１２記載の撮像装置。
【請求項２９】
方形の画像である第１の画像と第２の画像とを取得する画像取得手段と、
前記第１の画像を、前記第２の画像内における非方形の四角領域の形状に合わせて変形させるとともに、この変形後の画像を、前記第２の画像内における非方形の四角領域内に嵌め込み合成して第３の画像を生成する合成手段と、
を備えることを特徴とする画像処理装置。
【請求項３０】
被写体を撮像して撮影画像を取得する撮像手段を備える撮像装置に、
前記撮影画像を第１の画像として取得する第１の画像取得機能と、
第２の画像を取得する第２の画像取得機能と、
前記第１の画像平面上の方形である第１の四角領域を取得する第１の領域取得機能と、
前記第２の画像平面上の第２の四角領域を取得する第２の領域取得機能と、
前記第１の四角領域内の第１の画像を、前記第２の四角領域の形状に基づきあてはまるように形状変換して変換画像を取得する変換機能と、
前記第２の画像中の第２の四角領域内の画像と、前記変換画像を合成する合成機能と、
を実現させることを特徴とするプログラム。
【請求項３１】
被写体を撮像して撮影画像を取得する撮像手段を備える撮像装置に、
前記撮影画像を第１の画像として取得する第１の画像取得機能と、
第２の画像を取得する第２の画像取得機能と、
前記第１の画像平面上の方形である第１の四角領域を取得する第１の領域取得機能と、
前記第２の画像平面上の第２の四角領域を取得する第２の領域取得機能と、
前記第２の四角領域内の第２の画像を、前記第１の四角領域の形状に基づきあてはまるように形状変換して変換画像を取得する変換機能と、
前記第１の画像中の第１の四角領域内の画像と、前記変換画像を合成する合成機能と、
を実現させることを特徴とするプログラム。
【請求項３２】
画像処理装置に、
方形の画像である第１の画像と第２の画像とを取得する画像取得機能と、
前記第１の画像を、前記第２の画像内における非方形の四角領域の形状に合わせて変形させるとともに、この変形後の画像を、前記第２の画像内における非方形の四角領域内に嵌め込み合成して第３の画像を生成する合成機能と、
を実現させることを特徴とするプログラム。
【手続補正２】
【補正対象書類名】明細書
【補正対象項目名】０００７
【補正方法】変更
【補正の内容】
【０００７】
請求項１記載の発明は、方形の画像である第１の画像と第２の画像とを取得する画像取得手段と、前記第１の画像を、前記第２の画像内における非方形の四角領域の形状に合わせて変形させるとともに、この変形後の画像を、前記第２の画像内における非方形の四角領域内に嵌め込み合成して第３の画像を生成する合成手段と、を備えることを特徴とする撮像装置である。
請求項２記載の発明は、被写体を撮像して方形の撮影画像を取得する撮像手段と、前記撮像手段により取得した画像を表示する表示手段とを更に備え、前記画像取得手段は、前記撮像手段により撮像して得られる撮影画像を前記第１の画像または前記第２の画像として取得し、前記表示手段は、前記合成手段により生成された前記第３の画像を表示することを特徴とする請求項１記載の撮像装置である。
請求項３記載の発明は、前記表示手段は、前記撮像手段により取得した画像の表示に代えて、前記合成手段により合成された前記第３の画像を表示することを特徴とする請求項２記載の撮像装置である。
請求項４記載の発明は、前記撮像手段により取得した画像を保存する保存手段を更に備え、前記保存手段は、前記合成手段により生成された前記第３の画像を保存することを特徴とする請求項３記載の撮像装置である。
請求項５記載の発明は、前記表示手段は、前記撮像手段により取得した画像の保存に代えて、前記合成手段により合成された前記第３の画像を保存することを特徴とする請求項４記載の撮像装置である。
請求項６記載の発明は、前記画像取得手段は、前記撮像手段により撮像して得られる撮影画像を前記第１の画像として取得することを特徴とする請求項５記載の撮像装置である。
請求項７記載の発明は、前記画像取得手段は、前記撮像手段により逐次撮像して得られる撮影画像を前記第１の画像として逐次取得し、前記合成手段は、前記画像取得手段により逐次取得される前記第１の画像を、前記第２の画像内における非方形の四角領域の形状に合わせて逐次変形させるとともに、この変形後の画像を、前記第２の画像内における非方形の四角領域内に嵌め込み合成して第３の画像を逐次生成し、前記表示手段は、前記合成手段により逐次生成される前記第３の画像をスルー画像として逐次表示することを特徴とする請求項６記載の撮像装置である。
請求項８記載の発明は、前記画像取得手段は、前記撮像手段により撮像して得られる撮影画像を前記第２の画像として取得することを特徴とする請求項５記載の撮像装置である。
請求項９記載の発明は、前記画像取得手段は、前記撮像手段により逐次撮像して得られる撮影画像を前記第２の画像として逐次取得し、前記合成手段は、前記第１の画像を、前記画像取得手段により逐次取得される前記第２の画像内における非方形の四角領域の形状に合わせて逐次変形させるとともに、この変形後の画像を、前記第２の画像内における非方形の四角領域内に嵌め込み合成して第３の画像を逐次生成し、前記表示手段は、前記合成手段により逐次生成される前記第３の画像をスルー画像として逐次表示することを特徴とする請求項８記載の撮像装置である。
請求項１０記載の発明は、前記合成手段は、前記第１の画像の形状と前記第２の画像の形状とで決まるアフィンパラメータに従ってアフィン変換を行うことを特徴とする請求項１乃至９のいずれかに記載の撮像装置である。
請求項１１記載の発明は、被写体を撮像して撮影画像を取得する撮像手段と、前記撮影画像を第１の画像として取得する第１の画像取得手段と、第２の画像を取得する第２の画像取得手段と、前記第１の画像平面上の方形である第１の四角領域を取得する第１の領域取得手段と、前記第２の画像平面上の第２の四角領域を取得する第２の領域取得手段と、前記第１の四角領域内の第１の画像を、前記第２の四角領域の形状に基づきあてはまるように形状変換して変換画像を取得する変換手段と、前記第２の画像中の第２の四角領域内の画像と、前記変換画像を合成する合成手段と、を備えることを特徴とする撮像装置である。
請求項１２記載の発明は、被写体を撮像して撮影画像を取得する撮像手段と、前記撮影画像を第１の画像として取得する第１の画像取得手段と、第２の画像を取得する第２の画像取得手段と、前記第１の画像平面上の方形である第１の四角領域を取得する第１の領域取得手段と、前記第２の画像平面上の第２の四角領域を取得する第２の領域取得手段と、前記第２の四角領域内の第２の画像を、前記第１の四角領域の形状に基づきあてはまるように形状変換して変換画像を取得する変換手段と、前記第１の画像中の第１の四角領域内の画像と、前記変換画像を合成する合成手段と、を備えることを特徴とする撮像装置である。
請求項１３記載の発明は、前記第１の四角領域内の第１の画像は、前記第１の画像全体であることを特徴とする請求項１１記載の撮像装置である。
請求項１４記載の発明は、前記第２の四角領域内の第２の画像は、前記第２の画像全体であることを特徴とする請求項１２記載の撮像装置である。
請求項１５記載の発明は、前記第２の画像は、前記撮像手段による撮影画像であることを特徴とする請求項１１又は１２記載の撮像装置である。
請求項１６記載の発明は、合成用画像を記憶する記憶手段を備え、前記第２の画像は、前記合成用画像であることを特徴とする請求項１１又は１２記載の撮像装置である。
請求項１７記載の発明は、前記第１の画像は、前記撮像手段から出力されるスルー画像であることを特徴とする請求項１１又は１２記載の撮像装置である。
請求項１８記載の発明は、前記第１の画像は、前記撮像手段による撮影済み画像であることを特徴とする請求項１１又は１２記載の撮像装置である。
請求項１９記載の発明は、前記第１の領域取得手段は、前記第１の画像平面上に方形である領域が複数存在する場合に、その内の一つをユーザ操作に応答して選択することを特徴とする請求項１１又は１２記載の撮像装置である。
請求項２０記載の発明は、前記第２の領域取得手段は、前記第２の画像平面上に方形である領域が複数存在する場合に、その内の一つをユーザ操作に応答して選択することを特徴とする請求項１１又は１２記載の撮像装置である。
請求項２１記載の発明は、前記合成手段は、前記第２の画像中の第２の四角領域に、前記変換画像を合成する際に、前記変換画像が入りきらない形状の場合は、当該変換画像の中心を基準にして切り出した後、その切り出し画像を前記第２の画像中の第２の四角領域に合成することを特徴とする請求項１１記載の撮像装置である。
請求項２２記載の発明は、前記合成手段は、前記第２の画像中の第２の四角領域に、前記変換画像を合成する際に、前記変換画像が入りきらない形状の場合は、当該変換画像の縦又は横寸法を縮小し、その縮小画像を前記第２の画像中の第２の四角領域に合成することを特徴とする請求項１１記載の撮像装置である。
請求項２３記載の発明は、前記第１の領域取得手段が取得する第１の四角領域は矩形の領域であり、前記変換手段は、矩形の領域である前記第１の四角領域内の第１の画像を、前記第２の四角領域の形状に基づき形状変換して変換画像を取得することを特徴とする請求項１１に記載の撮像装置である。
請求項２４記載の発明は、前記変換手段は、この変換手段で生成している前記変換画像を台形補正した場合に得られる画像が、前記第１の画像の一部分を切り出した画像のうちの一つと相似の関係にあるように画像の変換を行うことを特徴とする請求項２３に記載の撮像装置である。
請求項２５記載の発明は、前記第２の領域取得手段が取得する第２の四角領域は矩形の領域であり、前記変換手段は、矩形の領域である前記第２の四角領域内の第２の画像を、前記第１の四角領域の形状に基づき形状変換して変換画像を取得することを特徴とする請求項１２に記載の撮像装置である。
請求項２６記載の発明は、前記変換手段は、この変換手段で生成している前記変換画像を台形補正した場合に得られる画像が、前記第２の画像の一部分を切り出した画像のうちの一つと相似の関係にあるように画像の変換を行うことを特徴とする請求項２５に記載の撮像装置である。
請求項２７記載の発明は、第３の画像平面上の方形である第３の四角領域を取得する第３の領域取得手段と、第３の画像平面上であって前記第３の四角領域を含み、形状がこの第３の四角領域と相似である第４の四角領域を取得する第４の領域取得手段と、前記第４の領域取得手段で取得した前記第４の領域内の前記第３の画像を台形補正した第４の画像を取得する第３の画像取得手段と、を備え、前記第１の画像をこの第４の画像として、前記第１の領域を前記第４の画像内であって前記台形補正後の前記第３の領域とすることを特徴とする請求項１１記載の撮像装置である。
請求項２８記載の発明は、第３の画像平面上の方形である第３の四角領域を取得する第３の領域取得手段と、第３の画像平面上であって前記第３の四角領域を含み、形状がこの第３の四角領域と相似である第４の四角領域を取得する第４の領域取得手段と、前記第４の領域取得手段で取得した前記第４の領域内の前記第３の画像を台形補正した第４の画像を取得する第３の画像取得手段と、を備え、前記第２の画像をこの第４の画像として、前記第２の領域を前記第４の画像内であって前記台形補正後の前記第３の領域とすることを特徴とする請求項１２記載の撮像装置である。
請求項２９記載の発明は、方形の画像である第１の画像と第２の画像とを取得する画像取得手段と、前記第１の画像を、前記第２の画像内における非方形の四角領域の形状に合わせて変形させるとともに、この変形後の画像を、前記第２の画像内における非方形の四角領域内に嵌め込み合成して第３の画像を生成する合成手段と、を備えることを特徴とする画像処理装置である。
請求項３０記載の発明は、被写体を撮像して撮影画像を取得する撮像手段を備える撮像装置に、前記撮影画像を第１の画像として取得する第１の画像取得機能と、第２の画像を取得する第２の画像取得機能と、前記第１の画像平面上の方形である第１の四角領域を取得する第１の領域取得機能と、前記第２の画像平面上の第２の四角領域を取得する第２の領域取得機能と、前記第１の四角領域内の第１の画像を、前記第２の四角領域の形状に基づきあてはまるように形状変換して変換画像を取得する変換機能と、前記第２の画像中の第２の四角領域内の画像と、前記変換画像を合成する合成機能と、を実現させることを特徴とするプログラムである。
請求項３１記載の発明は、被写体を撮像して撮影画像を取得する撮像手段を備える撮像装置に、前記撮影画像を第１の画像として取得する第１の画像取得機能と、第２の画像を取得する第２の画像取得機能と、前記第１の画像平面上の方形である第１の四角領域を取得する第１の領域取得機能と、前記第２の画像平面上の第２の四角領域を取得する第２の領域取得機能と、前記第２の四角領域内の第２の画像を、前記第１の四角領域の形状に基づきあてはまるように形状変換して変換画像を取得する変換機能と、前記第１の画像中の第１の四角領域内の画像と、前記変換画像を合成する合成機能と、を実現させることを特徴とするプログラムである。
請求項３２記載の発明は、画像処理装置に、方形の画像である第１の画像と第２の画像とを取得する画像取得機能と、前記第１の画像を、前記第２の画像内における非方形の四角領域の形状に合わせて変形させるとともに、この変形後の画像を、前記第２の画像内における非方形の四角領域内に嵌め込み合成して第３の画像を生成する合成機能と、を実現させることを特徴とするプログラムである。